(57)【要約】【課題】竹節の節面に穿孔加工を施すことなく、簡単な構成で竹酒用の竹筒を形成し、竹筒内に酒を封入した状態で流通販売を行うことができる竹酒を提供する。【解決手段】青竹の連続した２つの竹節２ａ、２ｂを備えてなる竹筒３において、下側切断面４ｂは該竹筒３を自立させ得るように水平に切断されてなる一方、上側竹節２ａに連なる上部竹筒３ａを斜めに切断することにより上部開口６が形成され、かつ竹筒３の上側竹節２ａの下方近傍の側部には注入孔７が形成され、該注入孔７より注入した酒を竹筒３の内部に収容した状態にして該注入孔７をシール８で封止してなる竹酒１であって、上側竹節２ａの節面５に破砕用切込線１１が形成されてなり、上側竹節２ａの節面５を叩打することによって破砕用切込線１１に沿って破砕し、該破砕による開口部５ａから竹筒３内の酒を注ぎ出すようにした。【選択図】図１
0003136035.tif 000002
【実用新案登録請求の範囲】
【請求項１】
青竹の連続した２つの竹節を備えてなる竹筒において、下側切断面は該竹筒を自立させ得るように水平に切断されてなる一方、上側竹節に連なる上部竹筒を斜めに切断することにより上部開口が形成され、かつ竹筒の上側竹節の下方近傍の側部には注入孔が形成され、該注入孔より注入した酒を竹筒の内部に収容した状態にして該注入孔をシールで封止してなる竹酒であって、上側竹節の節面に破砕用切込線が形成されてなり、上側竹節の節面を叩打することによって破砕用切込線に沿って破砕し、該破砕による開口部から竹筒内の酒を注ぎ出すようにしたことを特徴とする竹酒。
【考案の詳細な説明】
【技術分野】
【０００１】
本考案は、青竹（天然の生竹）の竹筒内に純米酒等の酒を収容してなる竹酒に関する。
【背景技術】
【０００２】
従来から、九州地方では「かっぽ酒」と称せられる竹酒が周知である。これは、青竹の竹筒内に酒を入れたもので、青竹の香りが移った酒は、２級酒が特級酒になるといわれるほど香りがよく、また風味を深める飲み方として知られている。
【０００３】
このような竹酒に関する従来例として特許文献１を参照すると、この文献に記載された「かっぽ酒製造器」は、酒の出入孔と空気穴とを備えた容器本体と、該容器本体内に出し入れ可能な竹製の風味醸成体とから構成されたもので、酒の出入孔は予め竹筒の上側竹節の節面に穿設され、また空気穴は上側竹節を傾斜状に切断した部位に穿設されてなるものである。
【０００４】
ところで、従来、各地で伝統的に知られている竹酒は、青竹をコップ状の容器に切断し、その容器を徳利又はさかずきに見立て、その容器内に酒を注いで飲料するものであるため、容器内に酒を収容した状態で流通販売するものではなかった。
【０００５】
また、上記の特許文献１に記載したものも、容器本体に酒を収容した状態で流通販売するものではなく、飲料する際に、この容器に酒を入れることによって竹酒として飲料することができるようにしたものである。
【０００６】
また、特許文献１においては、竹節の節面に酒の出入孔が穿設されているが、竹節の節面に穿孔ドリルを当てた際に節面が割れやすく、穿孔作業が困難であるという問題があった。また、仮に、竹節の節面に孔を穿設し、この孔から酒を注入したとしても、竹節の節面は凹凸が激しいため、この竹節の節面にシールをして孔を封止することは困難であった。
【特許文献１】特開平５−２１１８６２号公報
【考案の開示】
【考案が解決しようとする課題】
【０００７】
本考案は、上記の問題点に鑑みてなされたもので、竹節の節面に穿孔加工を施すことなく、簡単な構成で竹酒用の竹筒を形成し、竹筒内に酒を封入した状態で流通販売を行うことができる竹酒を提供することを目的とする。
【課題を解決するための手段】
【０００８】
上記の目的を達成するために、本考案の請求項１における竹酒は、青竹の連続した２つの竹節を備えてなる竹筒において、下側切断面は該竹筒を自立させ得るように水平に切断されてなる一方、上側竹節に連なる上部竹筒を斜めに切断することにより上部開口が形成され、かつ竹筒の上側竹節の下方近傍の側部には注入孔が形成され、該注入孔より注入した酒を竹筒の内部に収容した状態にして該注入孔をシールで封止してなる竹酒であって、上側竹節の節面に破砕用切込線が形成されてなり、上側竹節の節面を叩打によって破砕し、該破砕による開口部から竹筒内の酒を注ぎ出すようにしたことを特徴とする。
【考案の効果】
【０００９】
本考案は、上記のように構成されているため、竹筒の穿孔箇所は、竹節の節面ではなく、竹筒の側部にあるため、穿孔ドリル等による穿孔作業を容易に行うことが可能となる。また、竹筒の側部に穿設した注入孔から酒を注入した後、その注入孔を封止するシールは竹筒の側面に貼着すればよいため、シールによる封止作業を容易に行うことができ、このシールの封止によって竹筒内の酒を密封することができる。
【００１０】
また、本考案において、上側竹節の節面上に破砕用切込線が形成され、上側竹節の節面を金槌等の叩打によって破砕した際には、破砕用切込線に沿って開口部があけられるため、この開口部から竹筒内の酒を注ぎ出すことが可能となる。
【００１１】
このように製造された竹酒を飲料するには、上記のように竹筒の上側竹節の節面を金槌等で叩打することにより、破砕用切込線に沿って開口部があけられ、この開口部から竹筒内の酒を注ぎ出すことができる。従って、本考案の竹酒を飲料する際、樽の鏡開きのように木槌で蓋を叩き破る感覚で、上側竹節の節面を金槌で叩くことによって破砕用切込線に沿って破砕することができるため、何等かの祝事の際に用いることも可能である。
【００１２】
また、本考案による竹酒は、青竹（生竹）を使用するものであるため、自然の竹の有する匂いや風味が酒に浸透し、また燗をした際や冷酒の場合でも内部の酒に程よく浸み込み、本考案の竹筒の形状と相まって独特の趣向を楽しむことが可能となる。
【考案を実施するための最良の形態】
【００１３】
以下、本考案の実施例について図面を参照しながら説明する。
【実施例１】
【００１４】
本考案による竹酒は、図１(ａ)〜(ｃ)に示すように、青竹の連続した２つの竹節２ａ、２ｂを備えてなる竹筒３において、下側切断面４ｂは竹筒３を自立させ得るように水平に切断されてなる一方、上側竹節２ａに連なる上部竹筒３ａを斜めに切断することにより上部開口６が形成され、かつ竹筒３の上側竹節２ａの下方近傍の側部には注入孔７が形成され、該注入孔７より注入した酒を竹筒３の内部に収容した状態にして該注入孔７をシール８で封止してなる竹酒１であって、上側竹節２ａの節面５上に破砕用切込線１１（図２（ａ）〜(ｃ)参照）が形成されてなり、上側竹節２ａの節面５を叩打することによって破砕用切込線１１に沿って破砕し、該破砕による開口部５ａ（図３(ｂ)参照）から竹筒３内の酒を注ぎ出すようにしたものである。
【００１５】
以上の竹酒１についてその構成を詳細に述べると、本実施例に用いる青竹としては孟宗竹や真竹等の天然の生竹を使用し、このような青竹の連続した２つの上下の竹節２ａ、２ｂを備えてなる竹筒を本実施例の竹筒３とする。また、この竹筒３を形成するのに、下側切断面４ｂは竹筒３を机の上面等に自立させ得るように水平に切断している。
【００１６】
また、竹筒３の上部においては、上側竹節２ａに連なる上部竹筒３ａを斜めに切断することにより上側切断面４ａをなし、これによって上部開口６を形成している。なお、このような上部開口６は上側竹節２ａの近傍において形成されるのが好ましい。このように斜め形状の上部開口６を上側竹節２ａの近傍において形成することにより、斜め形状の上部開口６の下端部６ａは上側竹節２ａの近傍に形成されることとなり、後述するように、金槌１０（図３（ａ）参照）で上側竹節２ａの節面５を叩打する作業がやりやすくなる。
【００１７】
また、斜め形状の上部開口６の背部は、上側竹節２ａの節面５を叩打した際に形成される開口部５ａ（図３(ｂ)参照）から内部の酒を注ぎ出す際の注出面１２として使用することができ、図３(ｂ)に示すように、開口部５ａから注出される酒が注出面１２の湾曲形状に沿って流下し、周辺に零れず、円滑に注ぎ出すことが可能となる。
【００１８】
さらに、本実施例においては、図１(ｂ)に示すように、上記のように形成された竹筒３の上側竹節２ａの下方近傍の側面において背面１３側に注入孔７が形成されている。この注入孔７は直径８ｍｍ程度の貫通孔であり、穿孔ドリルによって簡単に形成することができる。
【００１９】
また、図１(ｃ)に示すように、注入孔７はシール８によって封止するようにしている。シール８としては、発行元や製造年月日や賞味期間等のように市販する際に表示すべき内容を記載した紙片等を使用し、このシール８を接着材等を用いて注入孔７を被せるように貼り付けることによって注入孔７を封止することが可能となる。
【００２０】
さらに、本実施例においては、図２（ａ）〜(ｃ)に示すように、竹筒３の上側竹節２ａの節面５の上面に破砕用切込線１１を刻設し、上側竹節２ａの節面５を金槌１０等によって容易に破砕することが可能となるようにしている。このような破砕用切込線１１の例として、図２（ａ）に示す円形の破砕用切込線１１ａ、図２(ｂ)に示す四角形の破砕用切込線１１ｂ、図２(ｃ)に示す三角形の破砕用切込線１１ｃ、その他の形状の破砕用切込線を形成すればよい。また、上側竹節２ａの節面５の上面に各破砕用切込線１１ａ〜１１ｃを覆うように不図示のラベル等を貼ることによって、叩打した際の破砕片が飛び散らないようにしてもよい。
【００２１】
上記のように構成された竹筒３の内部に酒を入れて本考案の竹酒１とするには、上記のように竹筒３の注入孔７から洗浄液を注入して竹筒内の内部を洗浄し、洗浄後の洗浄液を注入孔７から排出した後、注入孔７から酒を内部に注入する。なお、竹筒３の内部に注入する酒は、純米酒等の日本酒や焼酎の他、ウイスキー等の洋酒、その他の酒類、さらには他の飲料液でも注入可能である。
【００２２】
次いで、上記のように所定量の酒を注入した後、注入孔７を被せるようにシール８を貼って封止する。なお、図１（ａ）に示すように、竹筒３の前面１４に酒の銘柄等のラベル９を貼るとよい。そのラベル９の例として、図１(ａ)には「日本橋かぐや姫」と記してあるが、竹筒３の上部開口６の形状が「竹取物語」の竹を連想させるものであり、趣向が一段と増すものである。
【００２３】
上記のように製造された竹酒１内の酒を飲料するには、図３（ａ）に示すように、竹筒３の上側竹節２ａの節面５を金槌１０等で叩打することによって、上側竹節２ａの節面５
の破砕用切込線１１に沿って破砕され、この破砕によって開口部５ａ（図３(ｂ)参照）が形成される。そして、注出面１２を下方に向けて竹筒３を傾けることにより、竹筒３内の酒を注ぎ出すことができる。このとき、開口部５ａから注出される酒Ｄを注出面１２の湾曲形状に沿って流下させることが可能となり、周辺に零れず盃１５等に円滑に注ぎ入れることが可能となる。
【００２４】
また、上記のように、竹酒１を飲料する際、樽の鏡開きのように蓋を叩き破る感覚で、上側竹節２ａの節面５に金槌１０を振るうことにより、破砕用切込線１１に沿って破砕することとなるため、本考案の竹酒１を何等かの祝事の際に用いることも可能である。
【００２５】
なお、本考案の竹筒３は、内部の酒Ｄを抽出し終わった後は、上側竹節２ａの節面５に残った節をきれいに取り除くことによって銚子として使用することも可能である。
【産業上の利用可能性】
【００２６】
本考案の竹酒は、竹節の節面に穿孔加工を施すことなく、簡単な構成で竹筒を形成し、竹筒内に酒を封入した状態で販売を行うことができ、また竹筒の上側竹節の節面を金槌等で叩打することによって、上側竹節の節面を破砕用切込線に沿って破砕し、その破砕による開口部から竹筒内の酒を注ぎ出す構成であるため、何等かの祝事の際にも最適する竹酒として利用可能である。
【図面の簡単な説明】
【００２７】
【図１】(ａ)〜(ｂ)は本考案に係る竹筒の外観図であり、(ａ)は正面図、(ｂ)は背面図、(ｃ)は注入孔をシールで封止した状態を示す背面図である。
【図２】(ａ)〜(ｂ)は本考案に係る竹筒の上側竹節の節面に形成した破砕用切込線の各種態様を示す平面図である。
【図３】(ａ)は本考案に係る竹筒の上側竹節の節面に金槌を叩打している状態を示す図であり、(ｂ)は本考案に係る竹筒の上側竹節の節面に形成された開口部から内部の酒を注ぎ出している状態を示す図である。
【符号の説明】
【００２８】
１  竹酒
２ａ  上側竹節
２ｂ  下側竹節
３  竹筒
３ａ  上部竹筒
４ａ  上側切断面
４ｂ  下側切断面
５  上側竹節の節面
５ａ  開口部
６  上部開口
６ａ  下端部
７  注入孔
８  シール
９  ラベル
１０  金槌
１１（１１ａ、１１ｂ、１１ｃ）  破砕用切込線
１２  注出面
１３  背面
１４  前面
１５  盃
Ｄ  酒
【図１】
0003136035.tif 000003
【図２】
0003136035.tif 000004
【図３】
0003136035.tif 000005
【手続補正書】
【提出日】平成19年7月11日(2007.7.11)
【手続補正１】
【補正対象書類名】図面
【補正対象項目名】図１
【補正方法】変更
【補正の内容】
【図１】
0003136035.tif 000006